(57)【要約】【課題】点灯保持時間の設定によって点滅回数が増加したことによる放電灯の照度低下を抑制した照明装置を提供する。【解決手段】制御回路５のＨＩＣ５ｂは、人体検知センサ４１が人の存在を検知すると、放電灯Ｌａを点灯させるとともに、人体検知センサ４１が人の存在を検知しなくなってから所定の点灯保持時間が経過すると、放電灯Ｌａを消灯させる自動点滅機能と、放電灯Ｌａの累積点灯時間の経過に応じて、放電灯Ｌａの光束減退を補正するためにインバータ回路２から放電灯Ｌａへの供給電力を増加させる照度補正機能とを備えている。ＨＩＣ５ｂでは、切替スイッチＳＷ１の切替操作に応じて点灯保持時間の設定値が切り替えられると、切り替えられた点灯保持時間に連動して、照度補正機能が累積点灯時間の経過に応じて供給電力を増加させる増加割合を変更する。【選択図】図１
2011049016.tif 000002
【特許請求の範囲】
【請求項１】
直流電力を交流に変換して放電灯に供給するインバータ回路部と、検知エリアにおける人の存否を検出する人体検出部と、インバータ回路部の出力を制御することによって放電灯の光出力を変化させる制御部とを具備し、
制御部は、人体検出部が人の存在を検知すると、非検知時に比べて放電灯への供給電力を増加させるとともに、人体検出部が人の存在を検知しなくなってから所定の点灯保持時間が経過すると、放電灯への供給電力を検知時に比べて低下させる自動点滅機能と、放電灯の累積点灯時間の経過に応じてインバータ回路部から放電灯への供給電力を漸増させる照度補正機能とを有しており、
切替操作に応じて点灯保持時間の設定値を切り替える切替手段が設けられるとともに、
当該切替手段によって切り替えられた点灯保持時間に連動して、照度補正機能が累積点灯時間の経過に応じて放電灯への供給電力を増加させる増加割合を変更する補正カーブ変更機能が制御部に設けられたことを特徴とする照明装置。
【請求項２】
前記補正カーブ変更機能は、前記切替手段によって前記点灯保持時間が短い時間に切り替えられるほど前記増加割合を大きくし、且つ、前記切替手段によって前記点灯保持時間が長い時間に切り替えられるほど前記増加割合を小さくすることを特徴とする請求項１記載の照明装置。
【発明の詳細な説明】
【技術分野】
【０００１】
本発明は、照明装置に関するものである。
【背景技術】
【０００２】
従来、光源として放電灯を用いた照明装置が提供されている。
【０００３】
図５（ａ）は放電灯の累積点灯時間とランプ光束との関係を示し、ランプ光束は累積点灯時間の経過と共に低下する性質があるので、放電灯への供給電力が一定の場合（図５のａ）、ランプ光束は使用開始直後に最も高く、その後、累積点灯時間が経過するに従ってランプ光束が漸減しており、放電灯の寿命末期（累積点灯時間が１８０００時間程度）にはランプ光束が使用開始直後の７０〜８０％程度に低下している。
【０００４】
そのため、照明設計を行う際には、放電灯の寿命末期（累積点灯時間が１８０００時間程度）でも必要な明るさが確保できるように、放電灯への供給電力を設定する必要がある。ここで、累積点灯時間に応じた照度補正を行わず、図５のｃに示すように放電灯への供給電力を一定とする場合、累積点灯時間の経過に応じてランプ光束が漸減するので、寿命末期においても必要な光束Ｌ１を確保しようとすると、使用開始直後から寿命末期にかけてランプ光束がＬ１を超えて不必要に明るくなり、無駄な電力消費（図５（ｂ）の斜線部Ｂ）が発生するという問題がある。
【０００５】
そこで、図５（ｂ）のｄに示すように、放電灯への供給電力を使用開始直後から定格よりも低く抑えておき、放電灯の光束減退カーブに合わせて、累積点灯時間の経過とともに供給電力を漸増させるように点灯回路を制御する照度補正機能を備えた照明装置が公知であり（例えば特許文献１参照）、図５（ａ）のｂに示すように使用開始直後から寿命末期にかけてランプ光束が略一定に保たれ、光束Ｌ１を超える余分な明るさ（図５（ａ）の斜線部Ａ）を無くすことで、その分の電力消費を抑えて、省電力を図っていた。
【０００６】
また従来、工場や店舗のバックヤード（通路、倉庫、給湯室、休憩室など）に設置される照明装置として、消し忘れによる無駄な電力消費を抑制するために、照明エリアにおける人の存否を検知する人感センサの検知信号に応じて、放電灯の点灯、消灯を制御するものが従来提案されていた。この照明装置では、人感センサが人を検知すると、放電灯を点灯させ、人感センサが人を検知しなくなってから所定の点灯保持時間が経過すると、放電灯を消灯させているので、人がいない場合には放電灯を消灯させることによって、無駄な電力消費を低減していた。
【先行技術文献】
【特許文献】
【０００７】
【特許文献１】特開２００５−５０６４７号公報
【発明の概要】
【発明が解決しようとする課題】
【０００８】
上述した後者の照明装置において、省電力の効果を高めるためには、点灯保持時間をより短い時間に設定するのが好ましいが、点灯保持時間を短くすると、人を検知しなくなってから短時間で放電灯が消灯されるため、放電灯の点滅が頻繁に発生することになる。
【０００９】
図６は、点灯保持時間の設定値と１日当たりの点滅回数との関係を示しており、点灯保持時間の設定値が短くなるにつれて、１日当たりの点滅回数が増加している。ここで、点灯保持時間が短くなるほど、人がいなくなってから放電灯を消灯させるまでの時間が短くなるので、省電力の効果は高まるが、放電灯の点滅回数が増加することで、放電灯の寿命が短くなったり、放電灯の照度が低下するという問題が発生する。
【００１０】
ここにおいて、点滅回数の増加による放電灯の照度低下は、以下のような原因で発生するものと考えられる。放電灯の照度低下の直接的な原因は発光管内部の水銀蒸気圧の低下にあり、水銀蒸気圧の低下は、管端部の黒化部分に水銀が吸着されることと、水銀粒からの放出スピードが鈍いことによって発生すると考えられる。管端部の黒化は、放電灯のフィラメント電極を先行予熱する際にフィラメントに塗布されたエミッタが飛散し、管端部に付着したエミッタに水銀が吸着されることによって発生するのであるが、エミッタの消耗は点灯中に比べてランプ始動時の方が大きいため、短期点滅を繰り返す場合には管端部の黒化や水銀の吸着が発生しやすく、また短期点滅のように発光管の温度が十分に上昇する前に放電灯が消灯させられる状況では、水銀粒からの放出スピードが鈍くなると考えられ、発光管内の水銀蒸気圧が低下して、放電灯の照度低下が発生するものと考えられる。
【００１１】
このような自動点滅機能を有する照明装置に、上述した照度補正機能を付加したものもあるが、照度補正機能では累積点灯時間に応じて放電灯への供給電力を一律に変化させているだけなので、点灯保持時間が短い時間に設定されたために点滅回数が増加したことによって発生したランプ照度の低下分を補正することはできなかった。
【００１２】
本発明は上記問題点に鑑みて為されたものであり、その目的とするところは、点灯保持時間の設定によって点滅回数が増加したことによる放電灯の照度低下を抑制した照明装置を提供することにある。
【課題を解決するための手段】
【００１３】
上記目的を達成するために、請求項１の発明は、直流電力を交流に変換して放電灯に供給するインバータ回路部と、検知エリアにおける人の存否を検出する人体検出部と、インバータ回路部の出力を制御することによって放電灯の光出力を変化させる制御部とを具備し、制御部は、人体検出部が人の存在を検知すると、非検知時に比べて放電灯への供給電力を増加させるとともに、人体検出部が人の存在を検知しなくなってから所定の点灯保持時間が経過すると、放電灯への供給電力を検知時に比べて低下させる自動点滅機能と、放電灯の累積点灯時間の経過に応じてインバータ回路部から放電灯への供給電力を漸増させる照度補正機能とを有しており、切替操作に応じて点灯保持時間の設定値を切り替える切替手段が設けられるとともに、当該切替手段によって切り替えられた点灯保持時間に連動して、照度補正機能が累積点灯時間の経過に応じて放電灯への供給電力を増加させる増加割合を変更する補正カーブ変更機能が制御部に設けられたことを特徴とする。
【００１４】
請求項２の発明は、請求項１の発明において、補正カーブ変更機能は、切替手段によって点灯保持時間が短い時間に切り替えられるほど増加割合を大きくし、且つ、切替手段によって点灯保持時間が長い時間に切り替えられるほど増加割合を小さくすることを特徴とする。
【発明の効果】
【００１５】
請求項１の発明によれば、切替手段を用いて点灯保持時間の設定値を短くした場合、放電灯が短時間で消灯されるので、電力消費の低減効果は向上するものの、点滅回数の増加によって放電灯の光束減退が大きくなるが、補正カーブ変更手段が、切替手段によって切り替えられた点灯保持時間に連動して、照度補正機能が累積点灯時間の経過に応じて供給電力を増加させる増加割合を変更しているので、点滅回数の増加によって発生する光束減退を抑制することができ、累積点灯時間の経過に伴う光出力の低下を抑制することができる。
【００１６】
請求項２の発明によれば、点灯保持時間の設定値が短くなるほど点滅回数の増加によって放電灯の光束減退が大きくなるが、補正カーブ変更手段では、点灯保持時間が短くなるほど、増加割合を大きくしているので、点滅回数の増加によって発生する光束減退を補って、光出力の低下を抑制することができる。
【図面の簡単な説明】
【００１７】
【図１】本実施形態の照明装置の回路図である。
【図２】同上に用いるセンサブロックの正面図である。
【図３】同上の自動点滅機能を説明する説明図である。
【図４】同上の照度補正機能に用いられる照度補正カーブの説明図である。
【図５】（ａ）は放電灯の累積点灯時間とランプ光束との関係を示す図、（ｂ）は放電灯の累積点灯時間と放電灯への供給電力との関係を示す図である。
【図６】自動点滅機能の点灯保持時間と点滅回数との関係を示す図である。
【発明を実施するための形態】
【００１８】
以下に本発明の実施の形態を図面に基づいて説明する。
【００１９】
図１は本実施形態の照明装置の回路図であり、この照明装置は、交流電源を直流に変換する直流電源回路１と、直流電源回路１から供給される直流電力を交流に変換して負荷回路３に供給するインバータ回路２（インバータ回路部）と、所定の検知エリアにおける人の存否を検知する人体検知センサ４１（人体検出部）を有するセンサブロック４と、直流電源回路１およびインバータ回路２のスイッチング動作を制御する制御回路５（制御部）とを主要な構成として備え、例えば天井に設置されて下方の照明空間を照明する。
【００２０】
直流電源回路１は、商用交流電源ＡＣから入力される交流電圧を全波整流するダイオードブリッジからなる整流回路１１と、整流回路１１の整流出力を略一定の直流電圧に変換するチョッパ回路１２とを備える。チョッパ回路１２は、整流回路１１の直流出力端子間に接続されたインダクタＬ１およびＭＯＳＦＥＴからなるスイッチング素子Ｑ１の直列回路と、スイッチング素子Ｑ１の両端間に接続されたダイオードＤ１及び平滑コンデンサＣ１の直列回路とで構成された昇圧型のチョッパ回路からなる。スイッチング素子Ｑ１は、後述する制御回路５から入力される制御信号によってオン／オフが制御され、スイッチング素子Ｑ１のスイッチング動作によって平滑コンデンサＣ１の両端間に略一定の直流電圧を発生させるとともに、入力電流波形を正弦波状にして高調波の発生を抑制する。尚、直流電源回路１の入力側にはフィルタ回路Ｆが設けられ、スイッチング動作によって発生した高周波のノイズを減衰させることによって、高周波のノイズが電源ラインに逆流するのを防止している。
【００２１】
インバータ回路２は、平滑コンデンサＣ１の両端間に接続されたＭＯＳＦＥＴのようなスイッチング素子Ｑ２，Ｑ３の直列回路からなり、制御回路５から入力される制御信号によってスイッチング素子Ｑ２，Ｑ３が交互にオン／オフを繰り返すことで、直流電圧を高周波の交流電圧に変換して負荷回路３に供給する。
【００２２】
負荷回路３は、ローサイドのスイッチング素子Ｑ３の両端間に接続されたインダクタＬ２及びコンデンサＣ２からなるＬＣ共振回路３１と、コンデンサＣ２の両端間にコンデンサＣ３を介して接続された放電灯Ｌａとで構成される。ＬＣ共振回路３１は、インバータ回路２から供給される高周波の交流電圧を正弦波状にして放電灯Ｌａに供給し、放電灯Ｌａを点灯させる。
【００２３】
ここで、放電灯Ｌａは熱陰極蛍光ランプからなり、放電灯Ｌａのフィラメント電極ｆ１，ｆ２を予熱するために予熱回路６が設けられている。予熱回路６は、スイッチング素子Ｑ３の両端間にコンデンサＣ４，Ｃ５を介して一次巻線ｎ１が接続されたトランスＴ１と、コンデンサＣ５の両端間に接続されたＭＯＳＦＥＴのようなスイッチング素子Ｑ４とを備え、トランスＴ１の二次巻線ｎ２１の両端間にはコンデンサＣ６を介してフィラメント電極ｆ１が接続され、二次巻線ｎ２２の両端間にはコンデンサＣ７を介してフィラメント電極ｆ２が接続されている。スイッチング素子Ｑ４は制御回路５からの制御信号によってオン／オフが制御され、放電灯Ｌａの始動時には、トランスＴ１の二次巻線ｎ２１，ｎ２２からコンデンサＣ６，Ｃ７を介して放電灯Ｌａの両フィラメント電極ｆ１，ｆ２に予熱電流が供給されて、フィラメント電極ｆ１，ｆ２が予熱されるようになっている。
【００２４】
センサブロック４は、図２に示すように照明装置の本体とは別体に形成され、使用者が操作可能な高さ位置に配置される筐体４０に、人体から放射される熱線を検出することによって所定の検知エリアにおける人の存否を検出する焦電型の赤外線検出素子からなる人体検知センサ４１と、後述する点灯保持時間の設定値を切り替えるための切替手段たる切替スイッチＳＷ１とを保持させて構成され、人体検知センサ４１の検知信号や切替スイッチＳＷ１の切替信号を制御回路５に出力する。ここで、切替スイッチＳＷ１としては３位置切替のロータリ式スイッチを用いており、切替スイッチＳＷ１の切替位置に応じて、点灯保持時間が１分、点灯保持時間が３分、或いは人体検知センサ４１の検知結果に基づく自動点滅を行わない状態の何れかに切り替えられる。尚、センサブロック４の筐体４０を照明装置の本体とは別体に形成しているが、照明装置の本体に切替スイッチＳＷ１と人体検知センサ４１とを設けてもよい。また本実施形態では人体検知センサ４１として焦電型の赤外線検出素子を用いているが、人体検知センサ４１を焦電型の赤外線検出素子に限定する趣旨のものではなく、他の方式のセンサで人の存否を検知してもよい。
【００２５】
制御回路５は、スイッチング素子Ｑ１〜Ｑ４のオン／オフを制御する高耐圧ＩＣ５ａと、自動点滅機能や照度補正機能や補正カーブ変更機能を演算機能により実現するハイブリッドＩＣ（以下、ＨＩＣと呼称する。）５ｂと、放電灯Ｌａの寿命末期を検出する寿命末期検出回路５ｃとを備えている。
【００２６】
寿命末期検出回路５ｃは、例えば放電灯Ｌａのランプ電圧を検出することによって、放電灯Ｌａの寿命末期を検出するものであり、寿命末期においてエミレス状態となるとランプ電圧が上昇することから、放電灯Ｌａの寿命末期を検出している。
【００２７】
高耐圧ＩＣ５ａは、チョッパ回路１２の出力電圧が所定の電圧値となるようにスイッチング素子Ｑ１のオン／オフを制御するチョッパ制御回路５１と、ランプ始動時の予熱時間を計時する予熱時間タイマ５２と、予熱時間タイマ５２からのタイマ入力に基づいてスイッチング素子Ｑ４のオン／オフを制御する予熱制御回路５３と、ＨＩＣ５ｂからの制御信号や寿命末期検出回路５ｃからの検知信号や予熱時間タイマ５２からのタイマ入力に基づいてスイッチング素子Ｑ２，Ｑ３の発振周波数を決定する発振制御回路５４と、発振制御回路５４からの制御信号に応じた発振周波数でスイッチング素子Ｑ２，Ｑ３を交互にオン／オフさせるＭＯＳＦＥＴ駆動回路５５とを備える。
【００２８】
またＨＩＣ５ｂは、放電灯Ｌａの累積点灯時間に応じた調光比（放電灯Ｌａへの供給電力）を決定するための照度補正カーブのデータを記憶するメモリ５６と、センサブロック４や高耐圧ＩＣ５ａから入力されるデータをもとに自動点滅機能や照度補正機能を実行するマイクロコンピュータ５７とを備えている。尚、制御回路５（高耐圧ＩＣ５ａ及びＨＩＣ５ｂ）には、インバータ回路２に入力される電圧から動作電源を得る電源回路７や、共振回路３１のインダクタＬ２の二次側から動作電源を得る電源回路８から動作電源が供給されている。
【００２９】
ここで、本照明装置の動作について以下に説明する。先ず放電灯Ｌａを始動、点灯させる際の動作について説明する。本照明装置では放電灯Ｌａを始動させる際にフィラメント電極ｆ１，ｆ２の先行予熱を行うようになっており、高耐圧ＩＣ５ａの予熱時間タイマ５２が予熱時間の計時を行う。予熱期間中は、発振制御回路５４がスイッチング素子Ｑ２，Ｑ３の発振周波数を先行予熱時の動作周波数に設定して、放電灯Ｌａに印加される電圧が始動電圧を超えないようにし、予熱制御回路５３が予熱回路６からフィラメント電極ｆ１，ｆ２に予熱電流を流すことによって、フィラメント電極ｆ１，ｆ２を予熱する。予熱期間が終了すると、発振制御回路５４が、予熱時間タイマ５２からのタイマ信号に基づいてスイッチング素子Ｑ２，Ｑ３の発振周波数を負荷回路３の無負荷共振周波数に近付けることで、放電灯Ｌａの両端間に高電圧の始動電圧を発生させ、放電灯Ｌａを始動させる。放電灯Ｌａが始動すると、発振制御回路５４は、スイッチング素子Ｑ２，Ｑ３の発振周波数を所定の周波数に切り替えて、放電灯Ｌａを安定点灯させるとともに、規定の明るさとなるようにインバータ回路２の出力を制御する。
【００３０】
次に、ＨＩＣ５ｂによる自動点滅機能について図３を参照して説明する。センサブロック４の人体検知センサ４１は、放電灯Ｌａの照明エリアに対応して設けた検知エリアにおける人の存否を検出しており、検知エリア内で人を検知すると人体検知信号をＨＩＣ５ｂのマイクロコンピュータ５７に出力する。
【００３１】
放電灯Ｌａが消灯中の時刻ｔ１において人体検知センサ４１からＨＩＣ５ｂのマイクロコンピュータ５７に人体検知信号が入力されると、マイクロコンピュータ５７は高耐圧ＩＣ５ａの発振制御回路５４に放電灯Ｌａを始動点灯させる制御命令を出力し、この制御命令に基づいて発振制御回路５４が、予熱時間タイマ５２に予熱期間の計時動作を開始させ、予熱期間中にフィラメント電極ｆ１，ｆ２へ予熱電流を流して、フィラメント電極ｆ１，ｆ２を予熱した後、放電灯Ｌａに始動電圧を印加して、放電灯Ｌａを始動、点灯させる。ＨＩＣ５ｂのマイクロコンピュータ５７は、人体検知センサ４１から人体検知信号が入力されると、タイマ機能により所定の点灯保持時間の計時動作を開始し、人体検知信号が入力されてから点灯保持時間が経過するまでの間に人体検知センサ４１から再度人体検知信号が入力されると、タイマ機能の計数値をリセットして、点灯保持時間の計時動作を再開させており、放電灯Ｌａの点灯時間を延長する。一方、時刻ｔ２において人体検知信号が入力されてから所定の点灯保持時間が経過するまでの間に人体検知センサ４１から再び人体検知信号が入力されなければ、点灯保持時間が経過した時刻ｔ３において、マイクロコンピュータ５７は高耐圧ＩＣ５ａに放電灯Ｌａを消灯させる制御命令を出力し、この制御命令を受けて高耐圧ＩＣ５ａが放電灯Ｌａを消灯させる。
【００３２】
このように、ＨＩＣ５ｂの自動点滅機能によれば、センサブロック４の人体検知センサ４１が人を検知すると、高耐圧ＩＣ５ａにより自動的に放電灯Ｌａを点灯させ、所定の点灯保持時間が経過する間、点灯状態を保持しており、点灯保持時間が経過するまでの間に人体検知センサ４１が再度人を検知すると、点灯時間を延長しているので、検知エリアに人が存在する間は放電灯Ｌａを点灯させ続けることができる。また人体検知センサ４１が最後に人を検知してから点灯保持時間が経過すると、ＨＩＣ５ｂは高耐圧ＩＣ５ａに消灯制御信号を出力し、高耐圧ＩＣ５ａに放電灯Ｌａを消灯させているので、検知エリアに人がいなくなると放電灯Ｌａを自動的に消灯させることができ、放電灯Ｌａの消し忘れを防止して、無駄な電力消費を抑制することができる。尚、ＨＩＣ５ｂは、検知エリアに人がいなくなると放電灯Ｌａを消灯させているが、放電灯Ｌａを消灯させる代わりに、放電灯Ｌａを調光点灯させてもよく、人の検知時に比べて放電灯Ｌａへの供給電力を低下させることで、消費電力の低減を図ることができる。
【００３３】
次にＨＩＣ５ｂによる照度補正機能について説明する。ＨＩＣ５ｂのマイクロコンピュータ５７では、放電灯Ｌａの点灯中に別途のタイマ機能により放電灯Ｌａの点灯時間を計時させており、放電灯Ｌａが消灯する前に点灯時間の計時結果をメモリ５６に書き込み、放電灯Ｌａが再点灯した際にメモリ５６から読み込んだ点灯時間の計時を続けることで、使用初期時からの累積点灯時間を計時することができる。尚、ＨＩＣ５ｂのマイクロコンピュータ５７では、例えば放電灯Ｌａの装着の有無を検知するリミットスイッチのようなセンサを用いて、放電灯Ｌａの取り替え作業を検知しており、寿命となった放電灯Ｌａが新品に取り替えられると、累積点灯時間のカウント値を自動的にリセットしている。
【００３４】
そして、ＨＩＣ５ｂのマイクロコンピュータ５７では、タイマ機能により計時された現在の累積点灯時間をもとに、メモリ５６に予め記憶されている照度補正カーブのデータを参照し、現在の累積点灯時間に対応した調光比を決定する。そして、マイクロコンピュータ５７は、照度補正カーブをもとに決定した調光比のデータを高耐圧ＩＣ５ａの発振制御回路５４に出力しており、発振制御回路５４が、入力された調光比に基づいてスイッチング素子Ｑ２，Ｑ３のスイッチング周波数を制御することで、累積点灯時間の経過に応じて放電灯Ｌａへの供給電力を増加させている。したがって、ＨＩＣ５ｂの照度補正機能によって、累積点灯時間の経過に応じて発生する放電灯Ｌａの光束減退を補正するように、放電灯Ｌａへの供給電力を増加させることができ、放電灯Ｌａの光出力を略一定にできる。尚、ＨＩＣ５ｂが、人体検知センサ４１の検知信号に基づいて自動点滅制御を行う場合には、人体検知に応じて放電灯Ｌａを点灯させる間に、累積点灯時間の経過に応じて放電灯Ｌａへの供給電力を制御する。
【００３５】
ここで、本実施形態の照明装置では、センサブロック４に設けた切替スイッチＳＷ１を用いて、人体検知による自動点滅機能を実行するか否かの切り替えが行えるとともに、自動点滅機能を実行する場合に点灯保持時間の設定値の切り替えを行うことができ、本実施形態では点灯保持時間が例えば１分又は３分の何れかに切り替えられるようになっている。点灯保持時間の設定値が短くなると、人を検知しなくなってから、放電灯Ｌａが消灯されるまでの時間を短縮できるので、消費電力の抑制効果が向上するが、放電灯Ｌａの点滅回数が増加することによって、放電灯Ｌａの光束減退が大きくなる。そこで、本実施形態の照明装置では、ＨＩＣ５ｂのメモリに、点灯保持時間が１分に設定された場合の照度補正カーブ（図４のａ）のデータと、点灯保持時間が３分に設定された場合の照度補正カーブ（図４のｂ）のデータと、自動点滅機能を実行しない場合の照度補正カーブ（図４のｃ）のデータを予め記憶させておき、ＨＩＣ５ｂのマイクロコンピュータ５７は、切替スイッチＳＷ１により点灯保持時間が１分に設定された場合は照度補正カーブａを、点灯保持時間が３分に設定された場合は照度補正カーブｂを、自動点滅機能を実行しないように設定された場合は照度補正カーブｃを用いている。ここで、何れの照度補正カーブａ〜ｃも初期点灯時の調光率は７０％に設定されているが、照度補正カーブｃでは累積点灯時間が１８０００時間で調光率が１００％まで線形増加し、以後は調光率が１００％で一定となっているのに対して、照度補正カーブｂでは累積点灯時間が１５０００時間で調光率が１００％まで線形増加し、照度補正カーブａでは累積点灯時間が１２０００時間で調光率が１００％まで線形増加している。すなわち、累積点灯時間の経過に応じて放電灯Ｌａへの供給電力を増加させる割合は、自動点滅機能を実行しない場合の照度補正カーブｃ、点灯保持時間が３分の場合の照度補正カーブｂ、点灯保持時間が１分の場合の照度補正カーブａの順番で大きくなっており、切替スイッチＳＷ１によって切り替えられた点灯保持時間に連動して、点灯保持時間が短いほど（すなわち点滅回数が多いほど）、累積点灯時間の経過に応じて供給電力を増加させる割合が大きくなるように照度補正カーブを変更しているので、点滅回数の増加による光束減退を補って、放電灯Ｌａの光出力を略一定に保つことができる。
【００３６】
尚、点灯保持時間の設定や照度補正カーブの設定は上記の形態に限定されるものではなく、放電灯Ｌａの種類や安定器との組み合わせによって照度補正カーブの設定は変わるので、使用する放電灯Ｌａの種類や安定器に応じて点灯保持時間や照度補正カーブの設定は適宜変更すればよい。
【符号の説明】
【００３７】
１  直流電源回路
２  インバータ回路
３  負荷回路
３１  ＬＣ共振回路
４  センサブロック
５  制御回路
５ａ  高耐圧ＩＣ（制御部）
５ｂ  ＨＩＣ（制御部、自動点滅機能、照度補正機能、補正カーブ変更機能）
４１  人体検知センサ（人体検出部）
Ｌａ  放電灯
ＳＷ１  切替スイッチ（切替手段）
【図１】
2011049016.tif 000003
【図２】
2011049016.tif 000004
【図３】
2011049016.tif 000005
【図４】
2011049016.tif 000006
【図５】
2011049016.tif 000007
【図６】
2011049016.tif 000008